(57)【要約】  【課題】  溶着部が尾栓、並びに、軸筒の内面の全周に渡り形成されるようになっており、そのため、尾栓の軸筒に対する引っ張り方向に対しては、強度があるが、側面方向からの力に対しては弱いものとなってしまっている。特に、前記軸筒が筆記具にあっては、筆記の際に紙面との角度が発生するため、軸筒の側面方向から作用する力が大となり、前記の溶着部が破壊（剥離）してしまう危険性があった。  【解決手段】  一方の軸と他方の軸を超音波溶着によって連結する構造であって、前記各々の軸を嵌め合わせると共に、少なくとも一方の軸筒に鍔部を形成し、その鍔部の端面と他方の軸の端面を溶着し、且つ、前記一方の軸の内面と他方の軸の外面を溶着した超音波溶着構造。【選択図】  図６
2007090824.tif 000002
【特許請求の範囲】
【請求項１】
一方の軸と他方の軸を超音波溶着によって連結する構造であって、前記各々の軸を嵌め合わせると共に、少なくとも一方の軸筒に鍔部を形成し、その鍔部の端面と他方の軸の端面を溶着し、且つ、前記一方の軸の内面と他方の軸の外面を溶着したことを特徴とする超音波溶着構造。
【請求項２】
前記各々の溶着面の少なくとも一方に突部を形成したことを特徴とする請求項１記載の超音波溶着構造。
【請求項３】
前記軸筒の側面にその軸の長手方向に移動が可能な操作部を配置したことを特徴とする請求項１、或いは、請求項２に記載の超音波溶着構造。
【発明の詳細な説明】
【技術分野】
【０００１】
本発明は、一方の軸と他方の軸を超音波溶着によって連結する構造に関する。
【背景技術】
【０００２】
１例として、軸筒に対し超音波により溶着する筆記具の尾栓において、超音波溶着機のホーンを当接させる天面に連なる周壁面の一部に軸筒に対する溶着部を設け、又、天面の内側に天面を補強する軸方向にリブを設け、そのリブの先端を上記周壁面の溶着部より先方へ所要距離突出させて、そのリブの先端をインキ吸蔵体の受部となした筆記具の尾栓における超音波溶着構造が知られている。
【０００３】
【特許文献１】実公平０６−００１４２９号公報。
【発明の開示】
【発明が解決しようとする課題】
【０００４】
上記の従来技術にあっては、溶着部が尾栓、並びに、軸筒の内面の全周に渡り形成されるようになっており、そのため、尾栓の軸筒に対する引っ張り方向に対しては、強度があるが、側面方向からの力に対しては弱いものとなってしまっている。特に、前記軸筒が筆記具にあっては、筆記の際に紙面との角度が発生するため、軸筒の側面方向から作用する力が大となり、前記の溶着部が破壊（剥離）してしまう危険性があった。
【課題を解決するための手段】
【０００５】
本発明は、一方の軸と他方の軸を超音波溶着によって連結する構造であって、前記各々の軸を嵌め合わせると共に、少なくとも一方の軸筒に鍔部を形成し、その鍔部の端面と他方の軸の端面を溶着し、且つ、前記一方の軸の内面と他方の軸の外面を溶着したことを要旨とする。
【発明の効果】
【０００６】
本発明は、一方の軸と他方の軸を超音波溶着によって連結する構造であって、前記各々の軸を嵌め合わせると共に、少なくとも一方の軸筒に鍔部を形成し、その鍔部の端面と他方の軸の端面を溶着し、且つ、前記一方の軸の内面と他方の軸の外面を溶着したので、引っ張り方向からの作用には勿論、側面方向からの作用によっても剥離することがない超音波溶着構造を提供することができる。
【発明を実施するための最良の形態】
【０００７】
図１〜図８に示し説明する。黒色や赤色、青色、の３色からなるボールペンが摺動自在に配置されている多芯筆記具である。ボールペンばかりではなく、シャープペンシルを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。
【０００８】
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。その脚部８の外接円径は、後軸３の最大外径よりも小さく形成されている。即ち、後軸３の最大外径部と脚部８との連結部分には、段部（鍔部）３ａが形成されている。また、前記後軸３の脚部８には、中軸５の内壁に当接する突状のリブ８ａが形成されている。また、その中軸５の後端面にも突状のリブ５ａが形成されているが、このリブ５ａは中軸５の後端面の全周に渡って形成されているのではなく、部分的に形成されている。具体的には、等間隔な４箇所に形成されている。また、本例では、そのリブ５ａは、中軸５の内周面の延長上に形成されているが、これに限定されることなく、リブ５ａは後軸３の段部（鍔部）３ａと当接する位置であれば、前記中軸５の後端面のどの位置に形成しても良い。これら脚部８のリブ８ａや中軸５のリブ５ａは、後述する溶着固定するための溶融部となっている。即ち、脚部８のリブ８ａは中軸５の内面と当接し溶着・固定され、また、中軸５のリブ５ａが鍔部３ａの下端と当接し溶着・固定される。
【０００９】
前記後軸３のスリット６には、スライダー９が摺動自在に配置されている。このスライダー９の長手方向の両側には、摺動突起１０が形成されており、前記スリット６に形成された摺動溝７に摺動可能に係合している。このスライダー９の背面には、間隔をおいて２つの解除突起１１、１２が形成されており、スライダー９の前端部には、筆記体を接続する球状の接続部１３が形成されている。そして、この接続部１３には、ボールペンやシャープペンシルなどの筆記体１４が接続されている。参照符号１５は、筆記体１４並びに筆記体１４に接続するスライダー９を後方に付勢するコイルスプリングなどの弾撥部材である。
【００１０】
前記前軸２の１部材である中軸５の中間部には、規制部１７が形成されており、その規制部１７には、筆記体１４が遊挿する３つの貫通孔１８が形成されており、前記規制部１７に弾撥部材１５の一端を係止させることにより、筆記体１４を後方に付勢している。また、中軸５の内側で、規制部１７の後方には、長手方向に３つの溝部１９が形成されており、この溝部１９に前記後軸３の脚部８が摺接され、組み立て時に脚部８が案内されるようになっている。また、その溝部１９は、脚部８の断面形状とほぼ同形をなしている。即ち、外径方向に向かって拡開する扇形を形成している。
また、前記溝部１９には後軸３の脚部８と当接しない高さで、且つ、前記後軸３の脚部８に形成されたリブ８ａの外接径より小さいリブ１９ａが形成されている。前記溝部１９に形成されたリブ１９ａは、組立て時に前記後軸３と中軸５を溶着固定するまで間、容易に後軸３が中軸５から抜けないようにするためのものである。
【００１１】
次に作用について説明する。後軸３の脚部８を中軸５の溝部１９に挿入し、また、鍔部３ａを中軸５のリブ５ａに当接させた後、超音波溶着機のホーン（Ｈ）を後軸３の後端面に当接させる。ホーン（Ｈ）から発せられる振動によって、最初に中軸５の後端面の溶着リブ５ａが溶け、後軸３との溶着が開始される。次に、ホーン（Ｈ）の振動は後軸３の脚部８へ伝わり、中軸５の内面と当接している脚部８のリブ８ａが溶け、その中軸５の内面との溶着が開始される。つまり、中軸５と後軸３は、その中軸５の後端面部と後軸３の脚部８との２箇所で溶着固定されることとなる。この時、中軸５の溝部１９に形成されているリブ１９ａは後軸３の脚部８に当接していないので振動によって溶けることはなく、また、ホーン（Ｈ）からの振動がリブ１９ａに吸収されないため、ホーン（Ｈ）の振動を効率良く後軸３の脚部８に設けたリブ８ａに伝達することができる。
また、本例においては、前記後軸３のスリット６にスライダー９を摺動自在に配置した出没式の複式筆記具としているが、前記スリット６にスライダー９ではなく、例えば、人形のようなデザイン部品を固定しても良い。
【００１２】
次に動作について説明する。特定のスライダー９を前方（図中下方）に押圧すると、スライダー９は、スリット６並びに摺動溝７に案内されながら、筆記体１４を伴い前進し、筆記体１４の先端が軸本体１の先端より突出する。と、同時に、スライダー９が軸筒本体１の内側に押し込まれ、次いで、スライダー９の側面部に形成されている摺動突起１０の後端が、摺動溝７の前端部に係合し、筆記体１４の後退作用を阻止する。つまり、この摺動溝７をスリット６の中間部までしか形成しないことにより、スライダー９の係合をも兼ねるようになっている。
次に、筆記体１４を軸本体１に収納したい場合には、他のスライダー９を押圧する。他のスライダー９を押圧すると、互いのスライダー９の背面に形成されている解除突起１１、１２が衝突する。この衝突作用により、押圧されている状態にあるスライダー９が軸筒本体１の外側方向に押圧される。そして、この押圧作用により、前記スライダー９の摺動突起１０と摺動溝７との係合が解除され、その解除作用により突出している状態にある筆記体１４が弾撥部材１５の作用により後退し軸本体１内に没入する。
【図面の簡単な説明】
【００１３】
【図１】本発明の１例を示す縦断面図。
【図２】本発明の１例を示す筆記状態の縦断面図。
【図３】図１のＡ−Ａ線断面矢視略図。
【図４】図２のＢ−Ｂ線断面図。
【図５】図１のＣ−Ｃ線断面矢視図。
【図６】後軸と中軸の分解要部縦断面図。
【図７】超音波溶着方法を示す要部縦断面図。
【図８】図７の要部拡大図。
【符号の説明】
【００１４】
１      軸本体
２      前軸
３      後軸
３ａ    段部（（鍔部）
４      先部材
５      中軸
５ａ    溶着リブ
６      スリット
７      摺動溝
８      脚部
８ａ    リブ
９      スライダー
１０    摺動突起
１１    解除突起
１２    解除突起
１３    接続部
１４    筆記体
１５    弾撥部材
１６    クリップ
１７    規制部
１８    貫通孔
１９    溝部
１９ａ  リブ
【図１】
2007090824.tif 000003
【図２】
2007090824.tif 000004
【図３】
2007090824.tif 000005
【図４】
2007090824.tif 000006
【図５】
2007090824.tif 000007
【図６】
2007090824.tif 000008
【図７】
2007090824.tif 000009
【図８】
2007090824.tif 000010